(57)【要約】【課題】帰宅した住人が屋内に入るための手間を省く。つまり、帰宅した住人に対してストレスフリーの状態にする。【解決手段】玄関扉の前に人が立つと、この人の顔を対象人物の顔として認証装置４の撮影カメラ４０が撮影する。記憶部４２には、住人全員の顔情報が登録人物の顔情報として記憶されている。認証部４３は、対象人物の顔情報が登録人物の顔情報と一致するか否かを判断する。対象人物が登録人物であると認証部４３で判断されると、送信部４４は、各住宅設備機器の動作を制御する宅内サーバ１に、登録グループ番号情報を含む認証ＯＫ信号を送信する。宅内サーバ１は、電気錠３に対して玄関扉を解錠させる。【選択図】図１
2009259010.tif 000002
【特許請求の範囲】
【請求項１】
住宅の玄関扉の施錠及び解錠を行う電気錠を含む複数の電気機器と、前記複数の電気機器を制御する制御装置と、前記玄関扉の屋外側にいる対象人物を認証する認証装置と、前記電気錠、前記制御装置及び前記認証装置が接続される宅内通信網とを備える住宅設備監視制御システムであって、
前記認証装置は、前記対象人物の顔を含めた画像を撮影する撮影手段と、予め１乃至複数の顔情報を登録人物の顔情報として記憶する顔情報記憶手段と、前記撮影手段で撮影された画像に含まれる対象人物の顔情報が前記顔情報記憶手段に記憶されている登録人物の顔情報と一致した場合に前記対象人物が前記登録人物であると判断する認証手段とを有し、
前記制御装置は、帰宅時に用いる電気機器の連動関係を規定し、前記対象人物が前記登録人物であると前記認証手段で判断されると、前記玄関扉を解錠するように前記電気錠を制御するとともに、前記連動関係にしたがって他の電気機器の動作を制御する
ことを特徴とする住宅設備監視制御システム。
【請求項２】
前記宅内通信網を介して住宅設備機器の操作や監視情報の表示を行うコントロールパネルを前記複数の電気機器の１つとして備え、
前記コントロールパネルは、前記登録人物ごとに対応する報知内容を入力するための入力手段と、前記対象人物が前記登録人物であると前記認証手段で判断されると前記入力手段により入力された当該登録人物に対応する報知内容を報知する報知手段とを有する
ことを特徴とする請求項１記載の住宅設備監視制御システム。
【請求項３】
前記認証装置は、情報媒体に記憶されている対象人物の識別情報を読み取る読み取り手段と、予め１乃至複数の識別情報を登録人物の識別情報として記憶する識別情報記憶手段とをさらに有し、
前記認証手段は、前記対象人物の顔情報が前記登録人物の顔情報と一致するか否か、及び、前記読み取り手段で読み取られた対象人物の識別情報が前記識別情報記憶手段に記憶されている登録人物の識別情報と一致するか否かの組み合わせ情報により、前記対象人物が前記登録人物であると判断する
ことを特徴とする請求項１又は２記載の住宅設備監視制御システム。
【請求項４】
前記電気錠及び前記認証装置を含む複数の住宅設備機器に直流電力を供給する直流電力供給装置を備え、
前記直流電力供給装置は、商用電源の停電時に前記複数の住宅設備機器に直流電力を供給する補助電源を有する
ことを特徴とする請求項１乃至３の何れか１項に記載の住宅設備監視制御システム。
【請求項５】
前記複数の住宅設備機器は、前記宅内通信網に用いられる通信信号を直流電圧に重畳することによって通信を行うことを特徴とする請求項４記載の住宅設備監視制御システム。
【発明の詳細な説明】
【技術分野】
【０００１】
本発明は、住宅設備機器の監視制御を行う住宅設備監視制御システムに関するものである。
【背景技術】
【０００２】
従来、住宅の玄関扉の施錠及び解錠を行うには、住人が鍵を玄関扉に設けられた鍵穴に差し込んだ状態で回転させるという行為が必要であった。また、住人が鍵ではなく、ＩＣカードをカードリーダに差し込み、カードリーダにカード情報を読み取らせることによって、玄関扉の解錠を行うものもあった。
【０００３】
なお、特許文献１には、集合住宅の各住戸に設けられた住宅設備機器の監視制御を行う集合住宅用監視制御システムが開示されている。
【特許文献１】特開２００７−１８１１１０号公報
【発明の開示】
【発明が解決しようとする課題】
【０００４】
ところで、従来、帰宅した住人は、屋内に入るのに、鍵を鍵穴に差し込んだり、ＩＣカードをカードリーダに差し込んだりする行為を必要としたため、手間がかかった。また、住人が鍵やＩＣカードを紛失したり盗まれたりした場合、その鍵やＩＣカードを取得した第三者が屋内に容易に侵入することができるため、外出中において鍵やＩＣカードを紛失しないように常に注意して所持していなければならなかった。
【０００５】
本発明は上記の点に鑑みて為されたものであり、その目的は、帰宅した住人が屋内に入るための手間を省くことができる住宅設備監視制御システムを提供することにある。つまり、本発明の目的は、住人に対してストレスフリーの状態にさせることができる住宅設備監視制御システムを提供することにある。
【課題を解決するための手段】
【０００６】
請求項１の発明は、住宅の玄関扉の施錠及び解錠を行う電気錠を含む複数の電気機器と、前記複数の電気機器を制御する制御装置と、前記玄関扉の屋外側にいる対象人物を認証する認証装置と、前記電気錠、前記制御装置及び前記認証装置が接続される宅内通信網とを備える住宅設備監視制御システムであって、前記認証装置が、前記対象人物の顔を含めた画像を撮影する撮影手段と、予め１乃至複数の顔情報を登録人物の顔情報として記憶する顔情報記憶手段と、前記撮影手段で撮影された画像に含まれる対象人物の顔情報が前記顔情報記憶手段に記憶されている登録人物の顔情報と一致した場合に前記対象人物が前記登録人物であると判断する認証手段とを有し、前記制御装置が、帰宅時に用いる電気機器の連動関係を規定し、前記対象人物が前記登録人物であると前記認証手段で判断されると、前記玄関扉を解錠するように前記電気錠を制御するとともに、前記連動関係にしたがって他の電気機器の動作を制御することを特徴とする。
【０００７】
請求項２の発明は、請求項１の発明において、前記宅内通信網を介して住宅設備機器の操作や監視情報の表示を行うコントロールパネルを前記複数の電気機器の１つとして備え、前記コントロールパネルが、前記登録人物ごとに対応する報知内容を入力するための入力手段と、前記対象人物が前記登録人物であると前記認証手段で判断されると前記入力手段により入力された当該登録人物に対応する報知内容を報知する報知手段とを有することを特徴とする。
【０００８】
請求項３の発明は、請求項１又は２の発明において、前記認証装置が、情報媒体に記憶されている対象人物の識別情報を読み取る読み取り手段と、予め１乃至複数の識別情報を登録人物の識別情報として記憶する識別情報記憶手段とをさらに有し、前記認証手段が、前記対象人物の顔情報が前記登録人物の顔情報と一致するか否か、及び、前記読み取り手段で読み取られた対象人物の識別情報が前記識別情報記憶手段に記憶されている登録人物の識別情報と一致するか否かの組み合わせ情報により、前記対象人物が前記登録人物であると判断することを特徴とする。
【０００９】
請求項４の発明は、請求項１乃至３の何れか１項の発明において、前記電気錠及び前記認証装置を含む複数の住宅設備機器に直流電力を供給する直流電力供給装置を備え、前記直流電力供給装置が、商用電源の停電時に前記複数の住宅設備機器に直流電力を供給する補助電源を有することを特徴とする。
【００１０】
請求項５の発明は、請求項４の発明において、前記複数の住宅設備機器が、前記宅内通信網に用いられる通信信号を直流電圧に重畳することによって通信を行うことを特徴とする。
【発明の効果】
【００１１】
請求項１の発明によれば、対象人物の顔情報が登録人物の顔情報と一致して対象人物が登録人物であると認証手段で判断されたときに、制御装置に規定された連動関係に基づいて電気錠が玄関扉を解錠し、上記連動関係に基づいて他の電気機器も動作することによって、帰宅した住人（登録人物）が特別な操作をする必要がなくなるので、帰宅した住人が屋内に入るための手間を省くことができる。つまり、帰宅した住人に対してストレスフリーの状態にすることができる。また、制御装置で規定される連動関係を用いてお出迎えシーンを設定することができるので、帰宅時における快適性や利便性を高めることができる。
【００１２】
請求項２の発明によれば、コントロールパネルの入力手段により入力された報知内容を登録人物ごとに報知手段が報知することによって、帰宅した住人（登録人物）に例えばご飯やおやつの場所などを容易に知らせることができる。
【００１３】
請求項３の発明によれば、認証手段が顔情報で判断する機能と識別情報で判断する機能とを有することによって、例えば、識別情報によって判断された登録人物に絞り込んだ状態で顔情報の判断を行うことができるので、顔情報に用いる設定レベルをそれほど高くしなくても、対象人物が登録人物であるか否かの判断を行うことができる。
【００１４】
他の例として、対象人物の顔情報が何れかの登録人物の顔情報と一致したと判断し、かつ、識別情報が登録情報であると判断した場合に、対象人物が登録人物であると判断することができるので、対象人物の認証の精度をより高めることができる。
【００１５】
請求項４の発明によれば、商用電源の停電が発生したときに補助電源が各住宅設備機器に直流電力を供給することによって、商用電源の停電時においても各住宅設備機器を動作させることができる。
【００１６】
請求項５の発明によれば、宅内通信網に用いられる通信信号を直流電圧に重畳して通信を行うことによって、宅内通信網を形成するために給電路とは別体の通信線を設ける必要がないので、施工が容易である。
【発明を実施するための最良の形態】
【００１７】
（実施形態１）
まず、実施形態１の住宅設備監視制御システムの構成について図１〜４を用いて説明する。本実施形態の住宅設備監視制御システムは、図１に示すように、住宅（屋内Ｈ１及び屋外Ｈ２の両方を含む。）に設置された複数個の住宅設備機器と、これらの住宅設備機器の動作を制御する宅内サーバ１とを備えている。この住宅設備監視制御システムは、住宅から離れた管理会社に設置されたセンターサーバ２と宅外通信網ＮＴを介して接続し、在宅者に必要な各種サービスをセンターサーバ２から提供されるようになっている。
【００１８】
住宅に設置された住宅設備機器としては、住宅の玄関扉Ｄ（図２参照）の施錠及び解錠を行う電気錠３や、玄関扉Ｄの屋外側にいる人物を認証する認証装置４、複数個の照明負荷５０〜５８などがある。
【００１９】
照明負荷５０〜５８としては、図２〜４に示すように、屋外Ｈ２の玄関扉Ｄへの通路Ｄ１に沿って設けられた複数個の屋外照明負荷５０，５０，５０と、玄関扉Ｄのそばに設けられたポーチライトの屋外照明負荷５８と、屋内Ｈ１に設けられた屋内照明負荷５１〜５７とがある。各屋外照明負荷５０及び各屋内照明負荷５１〜５７は、直流電力供給によって点灯するＬＥＤ照明負荷である。また、図１に示すように、各屋外照明負荷５０は調光装置６０に接続されている。各屋内照明負荷５１〜５６は調光装置６１〜６３に接続されている。屋内照明負荷５７は、図４に示すように框（上がり框や床框）Ｋを形成する照明負荷であり、宅内サーバ１に接続されている。玄関扉Ｄのそばに設けられた屋外照明負荷５８は常時点灯する。
【００２０】
図１に示す各調光装置６０〜６３は、接続される照明負荷５０〜５６を点灯制御する親器６００，６１０，６２０，６３０と、接点入力を可能とする接点入力子器６０１，６１１，６２１，６３１とを備えている。各調光装置６０〜６３は複数のシーンを設定可能とする。具体的には、各調光装置６０〜６３には、お出迎えシーン、防犯シーン、在宅シーン、停電シーン、外出シーンなどが設定される。
【００２１】
認証装置４は、玄関扉Ｄ（図２参照）の横に設けられた撮影カメラ（撮影手段）４０と、特定人物の顔情報を予め登録するための登録部４１と、登録部４１で登録された登録人物の顔情報を記憶する記憶部（顔情報記憶手段）４２と、撮影カメラ４０の撮影画像や記憶部４２の顔情報を用いて玄関扉Ｄの屋外側にいる対象人物を認証する認証部（認証手段）４３と、宅内サーバ１及び調光装置６０に信号を送信する送信部４４と、認証部４３による認証の停止・再開を設定するスリープ設定部４５とを備えている。
【００２２】
登録部４１からは、住人全員が自分の顔情報を登録する。このとき、顔情報が登録された登録人物（住人）をグループ別に登録する。例えば、家族構成がお父さん、お母さん、子供の３人家族である場合、登録部４１を用いて、第１の登録グループにお父さんを登録し、第２の登録グループにお母さんを登録し、第３の登録グループに子供を登録することができる。他の例として、家族構成がお父さん、お母さん、子供２人の４人家族である場合、登録部４１を用いて、第１の登録グループにお父さんを登録し、第２の登録グループにお母さんを登録し、第３の登録グループに子供２人を登録することができる。なお、各登録グループにはそれぞれ１０人の人物を登録することができる。
【００２３】
記憶部４２には、住人全員の顔情報が登録人物の顔情報として登録グループとともに記憶される。例えば、お父さんの場合、お父さんの顔情報と第１の登録グループとが記憶され、お母さんの場合、お母さんの顔情報と第２の登録グループとが記憶される。
【００２４】
撮影カメラ４０は、玄関扉Ｄ（図２参照）の屋外側にいる対象人物の顔を含めた画像を撮影する。撮影カメラ４０で撮影された撮影画像は認証部４３に出力される。
【００２５】
認証部４３は、撮影カメラ４０から出力された撮影画像に含まれる対象人物の顔情報を、記憶部４２に記憶されている各登録人物の顔情報と順に照合させていく。照合中に、対象人物の顔情報が何れかの登録人物の顔情報と一致した場合、対象人物が、一致した顔情報の登録人物である、と認証部４３は判断する。このとき、認証部４３は、登録人物の登録グループも認識する。例えば、対象人物の顔情報が、記憶部４２に記憶されているお父さんの顔情報と一致した場合、認証部４３は、玄関扉Ｄの屋外側にいる対象人物がお父さんであると判断するとともに、お父さんが第１の登録グループに登録されていることを認識する。
【００２６】
送信部４４は、対象人物が何れかの登録人物であると認証部４３で認証された場合、宅内サーバ１及び調光装置６０に認証ＯＫ信号を送信する。このとき、宅内サーバ１には、登録グループ番号情報も送信される。例えば、対象人物がお父さんである場合、送信部４４は、第１の登録グループに登録されているという登録グループ番号情報を認証ＯＫ信号に含めて宅内サーバ１に送信する。一方、認証部４３によって対象人物が何れの登録人物とも認証されなかった場合、送信部４４は、宅内サーバ１及び調光装置６０に認証ＮＧ信号を送信する。
【００２７】
宅内サーバ１は、宅内サーバ１の信号処理を担うサーバ本体１０と、接点入出力によって各住宅設備機器に対する制御や動作状態の取り込みを行うデジタル入出力モジュール１１とを備えている。デジタル入出力モジュール１１の入力インタフェース（図示せず）には、上述した認証装置４と、玄関扉Ｄ（図２参照）の開閉を検知する開戸センサ７０と、屋内Ｈ１（図３参照）に設置されたワイヤレス発信機７１１〜７１３との間で通信を行うワイヤレス受信機７１とが接続されている。また、デジタル入出力モジュール１１の出力インタフェース（図示せず）には、上述した電気錠３と、屋内照明負荷５７と、接点入力子器６１１，６２１，６３１と、電動ブラインド７３とが接続されている。また、デジタル入出力モジュール１１の入力インタフェース及び出力インタフェースの両方に、各住宅設備機器に直流電力を供給する直流電力供給装置７４が接続されている。宅内サーバ１は、本発明の制御装置に対応する。
【００２８】
直流電力供給装置７４は、通常、商用電源ＡＣからの交流電力を直流電力に変換し、変換した直流電力を各住宅設備機器に供給する。この直流電力供給装置７４は、商用電源ＡＣの停電時に用いられる補助電源としての二次電池７４０を備えている。直流電力供給装置７４の動作状態は、宅内サーバ１が適宜監視している。商用電源ＡＣの停電時において、宅内サーバ１は、二次電池７４０の容量を確認し、商用電源ＡＣの停電時に動作させる住宅設備機器と、動作を停止させる住宅設備機器とに分類する。二次電池７４０は、商用電源ＡＣの停電時に、宅内サーバ１の制御によって、各住宅設備機器に直流電力を供給する。
【００２９】
また、各住宅設備機器は、通信信号を直流電圧に重畳することによって通信を行う。
【００３０】
ところで、宅内サーバ１には、イーサネット（登録商標）を用いたローカルエリアネットワーク（ＬＡＮ）２０を含む宅内通信網を介して住宅設備機器の操作や監視情報の表示を行うコントロールパネル８がハブ７５を介して接続されるとともに、ブロードバンドルータ７６を介して宅外通信網ＮＴが接続されている。
【００３１】
コントロールパネル８は、屋内Ｈ１の壁面に設置されたものであり、住人が操作するための複数の操作ボタン（入力手段）８０，８０・・・と、所定の情報を表示画面８１に表示する表示部（図示せず）と、所定の情報をスピーカ８２から音声出力する音声出力部（図示せず）とを備えている。
【００３２】
上記コントロールパネル８には、認証装置４の記憶部４２に記憶されている登録グループごとに対応する情報が操作ボタン８０への操作によって入力される。入力された登録グループごとの情報は、コントロールパネル８に内蔵の記憶部（図示せず）に記憶される。また、上記登録グループごとに対応するアバターも操作ボタン８０への操作によって選択され、上記記憶部に記憶される。なお、報知内容やアバターを、上記のように登録グループごとに設定するのではなく、認証装置４の記憶部４２に記憶されている登録人物ごとに設定してもよい。
【００３３】
対象人物が登録人物であると認証装置４の認証部４３で判断されると、コントロールパネル８の表示部は、上記登録人物の登録グループに対応する情報を、登録グループごとに選択されたアバターとともに表示画面８１に表示する。同時に、コントロールパネル８の音声出力部は、上記登録人物の登録グループに対応する情報をスピーカ８２から音声出力する。本実施形態の表示部及び音声出力部は、本発明の報知手段に相当する。
【００３４】
また、コントロールパネル８は、住人の帰宅時に宅内サーバ１で管理されている不在時の来訪者や宅配ボックスの状況を表示画面８１に表示することができる。
【００３５】
次に、本実施形態の住宅設備監視制御システムにおいて、玄関扉Ｄ（図２参照）に人が近づいてきたときの動作について図１を用いて説明する。なお、玄関扉Ｄに人が近づいてくる前（人がいないとき）の複数個の屋外照明負荷５０，５０，５０は、省エネルギーの点から全点灯ではなく、調光比２０％で調光点灯している。一方、屋外照明負荷５８は全点灯している。まず、玄関扉Ｄに近づいてきた人が玄関扉Ｄの前に立つと、この玄関扉Ｄの前にいる人を認証装置４が検知する。このとき、検知信号が認証装置４から調光装置６０に送信される。屋外照明負荷５０は、調光装置６０の制御によって、調光点灯から全点灯（調光比１００％）に切り替わる。
【００３６】
その後、認証装置４は、玄関扉Ｄの前にいる人を検知しなくなってから一定時間が経過した後、非検知を示す信号を調光装置６０に送信する。調光装置６０は、省エネルギーの点から、屋外照明負荷５０を全点灯から調光点灯（調光比２０％）に切り替える。
【００３７】
上記より、玄関扉Ｄの前にいる人を認証装置４が検知することによって、各屋内照明負荷５０に人感センサを備える必要がないため、玄関扉Ｄの屋外側の外観を損なわせることがない。
【００３８】
次に、本実施形態の住宅設備監視制御システムにおいて、帰宅時の動作について説明する。まず、玄関扉Ｄ（図２参照）の前に人が立つと、この人の顔を対象人物の顔として認証装置４の撮影カメラ４０が撮影する。その後、認証部４３が、対象人物の顔情報が何れかの登録人物の顔情報と一致するか否かを判断する。対象人物が何れかの登録人物であると認証部４３で判断されると、送信部４４が認証ＯＫ信号を宅内サーバ１に送信する。宅内サーバ１は、玄関扉Ｄが閉まっていることを開戸センサ７０により確認してから、電気錠３に対して玄関扉Ｄを解錠させる。つまり、電気錠３は、対象人物が何れかの登録人物であると認証装置４の認証部４３で判断されたときに、玄関扉Ｄを解錠する。これにより、対象人物は玄関扉Ｄを開けて屋内Ｈ１に入ることができる。
【００３９】
また、宅内サーバ１は、帰宅時に用いる電気機器の連動関係を規定し、認証ＯＫ信号を受信すると、上記連動関係にしたがって上記電気機器の動作を制御する。具体的には、宅内サーバ１は認証ＯＫ信号を受信すると、調光装置６１，６３に対してお出迎えシーンへの切替を行う。これにより、屋内照明負荷５１，５２，５５，５６が全点灯する。
【００４０】
さらに、宅内サーバ１は、認証ＯＫ信号に含まれる登録グループ番号情報を取得すると、取得した登録グループ番号情報をコントロールパネル８に送信する。コントロールパネル８は、宅内サーバ１から登録グループ番号情報を受信すると、受信した登録グループ番号情報に対応するアバター及び情報を表示画面８１に表示し、受信した登録グループ番号情報に対応する情報をスピーカ８２から音声出力する。これにより、登録人物である住人は、玄関扉Ｄを開けて屋内Ｈ１に入った後、コントロールパネル８によって報知された報知内容を知ることができる。上記のように、コントロールパネル８の表示画面８１にアバターを表示させることによって、よりわかりやすく登録人物に報知内容を伝えることができる。
【００４１】
なお、上記の帰宅時とは、住宅の住人が帰宅した時には限定されず、上記住人に関係がある人（例えば別居の肉親など）が訪問した時も含む。つまり、上記住人に関係がある人を登録人物として登録されていれば、本実施形態の住宅設備監視制御システムは、上述した帰宅時の動作を行う。
【００４２】
一方、対象人物が何れの登録人物であると認証部４３で判断されなかった場合、送信部４４は、宅内サーバ１及び調光装置６０に認証ＮＧ信号を送信する。各屋外照明負荷５０は、調光装置６０の制御によって、全点灯から調光点灯（調光比２０％）に切り替わる。また、宅内サーバ１は、調光装置６１に対して防犯シーンへの切替を行う。これにより、玄関扉Ｄの近くにある屋内照明負荷５１，５２（図３参照）は全点灯する。なお、電気錠３は玄関扉Ｄを施錠したままである。
【００４３】
次に、本実施形態の住宅設備監視制御システムにおいて、住人が在宅しているときの動作について説明する。帰宅した住人（在宅者）は、コントロールパネル８を操作して在宅モードを選択する。このとき、宅内サーバ１は、調光装置６１〜６３に対して在宅シーンへの切替を行う。これにより、屋内照明負荷５１〜５６は一斉に全点灯する。また、宅内サーバ１は、電動ブラインド７３を開けるように制御する。
【００４４】
上記とは別に、在宅者は、コントロールパネル８を操作することによって、屋内照明負荷５１〜５６の一括点灯や一括消去を選択することができる。宅内サーバ１は、コントロールパネル８で一括点灯が選択されると、調光装置６１〜６３に対してシーン設定の切替を行う。これにより、屋内照明負荷５１〜５６は一括点灯する。一方、コントロールパネル８で一括消灯が選択されると、宅内サーバ１は、調光装置６１〜６３に対してシーン設定の切替を行う。これにより、屋内照明負荷５１〜５６は一括消灯する。上記より、在宅者は各屋内照明負荷５１〜５６を個別に点灯させたり消灯させたりするという手間を省くことができる。
【００４５】
また、宅内サーバ１は、センターサーバ２のサービスである天気予報のコンテンツを取得し、コントロールパネル８は、宅内サーバ１で取得された天気予報のコンテンツを表示することができる。
【００４６】
次に、本実施形態の住宅設備監視制御システムにおいて、屋内Ｈ１に設置されたワイヤレス発信機７１１〜７１３が在宅者を検知したときの動作について図１，３を用いて説明する。図３に示すように設置されたワイヤレス発信機７１１が在宅者を検知した場合、ワイヤレス発信機７１１からワイヤレス受信機７１に検知信号が無線送信される。ワイヤレス受信機７１は、ワイヤレス発信機７１１から検知信号を受信すると、ワイヤレス受信機７１から宅内サーバ１への第１の信号をローレベルからハイレベルに切り替える。宅内サーバ１は、ワイヤレス受信機７１からの第１の信号がローレベルからハイレベルに切り替わると、調光装置６２を制御して、屋内照明負荷５３，５４を点灯させる。これにより、ワイヤレス発信機７１１が検知した在宅者がいる部屋の屋内照明負荷５３，５４だけを点灯させることができる。
【００４７】
その後、ワイヤレス発信機７１１が在宅者を検知しなくなると、ワイヤレス受信機７１は、ワイヤレス受信機７１から宅内サーバ１への第１の信号をハイレベルからローレベルに切り替える。宅内サーバ１は、ワイヤレス受信機７１からの第１の信号がハイレベルからローレベルに切り替わると、調光装置６２を制御して、屋内照明負荷５３，５４を消灯させる。
【００４８】
続いて、図３に示すように設置されたワイヤレス発信機７１２（又は７１３）が在宅者を検知した場合について説明する。この場合、ワイヤレス発信機７１２（７１３）からワイヤレス受信機７１に検知信号が無線送信される。ワイヤレス受信機７１は、ワイヤレス発信機７１２（７１３）から検知信号を受信すると、ワイヤレス受信機７１から宅内サーバ１への第２の信号をローレベルからハイレベルに切り替える。宅内サーバ１は、ワイヤレス受信機７１からの第２の信号がローレベルからハイレベルに切り替わると、調光装置６３を制御して、屋内照明負荷５５，５６を点灯させる。これにより、ワイヤレス発信機７１２（７１３）が検知した在宅者がいる部屋の屋内照明負荷５５，５６だけを点灯させることができる。
【００４９】
その後、ワイヤレス発信機７１２（７１３）が在宅者を検知しなくなると、ワイヤレス受信機７１は、ワイヤレス受信機７１から宅内サーバ１への第２の信号をハイレベルからローレベルに切り替える。宅内サーバ１は、ワイヤレス受信機７１からの第２の信号がハイレベルからローレベルに切り替わると、調光装置６３を制御して、屋内照明負荷５５，５６を消灯させる。
【００５０】
次に、本実施形態の住宅設備監視制御システムにおいて、商用電源ＡＣに停電が発生した場合の動作について図１，３を用いて説明する。商用電源ＡＣに停電が発生した場合、停電スイッチ７２が操作される。停電スイッチ７２が操作されると、宅内サーバ１は停電発生を認識し、各住宅設備機器に電力供給を行う電源として二次電池７４０を用いるように直流電力供給装置７４に制御する。
【００５１】
このとき、宅内サーバ１は、調光装置６１〜６３に対して停電シーンへの切替を行う。これにより、停電補償なしの屋内照明負荷５２，５４〜５６は消灯するが、玄関付近にあって停電補償ありの屋内照明負荷５１，５３と足元を照らす屋内照明負荷５７，５７は調光点灯する。その結果、商用電源ＡＣの停電時において、電力消費を抑えて二次電池７４０の寿命を長持ちさせつつ、在宅者の避難経路の安全を確保することができる。なお、各屋外照明負荷５０は、夜に停電する場合を考慮して、調光点灯させてもよい。
【００５２】
また、停電発生を認識した宅内サーバ１は、コントロールパネル８に停電発生情報を送信する。コントロールパネル８は、宅内サーバ１から停電発生情報を受信すると、警告音を出力する。
【００５３】
さらに、商用電源ＡＣの停電時においても、宅内サーバ１は、開戸センサ７０からの玄関扉Ｄ（図２参照）の開閉状態を確認することができ、認証装置４の認証結果に応じて電気錠３を制御して玄関扉Ｄを施錠したり解錠したりすることができる。これにより、商用電源ＡＣの停電時においても、防犯効果が低下しないようにすることができる。
【００５４】
その後、商用電源ＡＣが復旧した場合、宅内サーバ１は、コントロールパネル８に停電復旧情報を送信する。また、宅内サーバ１は、調光装置６１〜６３に対して停電前のシーンへの切替を行う。これにより、屋内照明負荷５１〜５６は、停電発生前の点灯状態になる。例えば、停電発生前に屋内照明負荷５１〜５６が全点灯していた場合、停電復旧後に、屋内照明負荷５１〜５６は全点灯する。なお、屋内照明負荷５７は消灯する。
【００５５】
次に、本実施形態の住宅設備監視制御システムにおいて、住人が外出する場合の動作について図１を用いて説明する。外出しようとする住人は、コントロールパネル８の操作ボタン８０を押操作して外出モードを選択する。このとき、宅内サーバ１は、調光装置６１〜６３に対して外出シーンへの切替を行う。これにより、屋内照明負荷５１〜５６は一斉に消灯する。また、外出モードが選択されたとき、宅内サーバ１は、電動ブラインド７３を閉めるように制御し、電気錠３に対して玄関扉Ｄを施錠するように制御する。上記より、外出しようとする住人がコントロールパネル８の操作ボタン８０を押操作するだけで、屋内照明負荷５１〜５６の一括消灯と、電動ブラインド７３を閉めることとを一括して行うことができる。なお、住人があわてずに玄関扉Ｄから外に出かけることができるように、各屋内照明負荷５１〜５６の一斉消灯及び電気錠３の施錠は、一定時間（例えば１５秒）だけ遅延させて行うようにしている。また、コントロールパネル８は、最近１週間の点灯状態を予め記憶しておき、住人が不在している間、各屋内照明負荷５１〜５６に対して、住人が存在しているような点灯（居る振り点灯）をさせるように調光装置６１〜６３を制御することができる。
【００５６】
以上、本実施形態によれば、対象人物の顔情報が何れかの登録人物の顔情報と一致して対象人物が登録人物であると認証装置４の認証部４３で判断されたときに、宅内サーバ１に規定された連動関係に基づいて電気錠３が玄関扉Ｄを解錠し、上記連動関係に基づいて屋内照明負荷５１，５２，５５，５６やコントロールパネル８が動作することによって、帰宅した住人（登録人物）が特別な操作をする必要がなくなるので、帰宅した住人が屋内Ｈ１に入るための手間を省くことができる。つまり、帰宅した住人に対してストレスフリーの状態にすることができる。また、宅内サーバ１で規定される連動関係を用いてお出迎えシーンを設定することができるので、帰宅時における快適性や利便性を高めることができる。
【００５７】
また、コントロールパネル８の操作ボタン８０により入力された報知内容を登録グループ（登録人物）ごとにコントロールパネル８の表示部及び音声出力部が報知することによって、帰宅した住人（登録人物）に例えばご飯やおやつの場所などを容易に知らせることができる。
【００５８】
さらに、商用電源ＡＣの停電が発生したときに二次電池７４０が各住宅設備機器に直流電力を供給することによって、商用電源ＡＣの停電時においても各住宅設備機器を動作させることができる。
【００５９】
また、本実施形態によれば、宅内通信網に用いられる通信信号を直流電圧に重畳して通信を行うことによって、宅内通信網を形成するために給電路とは別体の通信線を設ける必要がないので、施工が容易である。
【００６０】
（実施形態２）
実施形態２の住宅設備監視制御システムは、認証装置４が、ＩＣカード（情報媒体）に記憶されているカード情報を読み取るカードリーダ（読み取り手段）４６を備える点で、実施形態１の住宅設備監視制御システムと相違する。ＩＣカードには、カード情報として対象人物の識別情報が記憶されている。なお、実施形態１と同様の構成要素については、同一の符号を付して説明を省略する。
【００６１】
本実施形態の記憶部４２には、予め１乃至複数の識別情報が登録情報として記憶されている。つまり、本実施形態の記憶部４２は、本発明の識別情報記憶手段に相当する。
【００６２】
本実施形態の認証部４３は、まず、対象人物の顔情報と登録人物の顔情報とを比較し、比較した結果による判断レベルが予め設定された設定レベル以上になると、対象人物の顔情報が登録人物の顔情報と一致したと判断する。
【００６３】
ところで、実施形態１の認証装置４のように顔認証のみで対象人物が登録人物であるか否かを判断する方法では、登録人物に似ている他人を間違って登録人物として判断しないように、また、対象人物が登録人物であっても、異なる登録人物として判断しないように、設定レベルを高くしておく必要がある。
【００６４】
しかし、上記のように設定レベルを高くすると、逆に、対象人物が登録人物本人であっても、撮影カメラ４０で撮影された対象人物の表情などによっては、判断レベルが設定レベルに達せず、対象人物が登録人物であると認証部４３が判断しないという状況が発生してしまい、認証装置４が住人にとって使い勝手の悪いものとなる。
【００６５】
そこで、本実施形態の認証部４３は、対象人物の顔情報と登録人物の顔情報との比較を行うとともに、カードリーダ４６で読み取られたカード情報が記憶部４２に記憶されている登録情報と一致するか否かを判断する。上記カード情報が登録情報と一致した場合、認証部４３は、カード情報によって判断された登録人物に絞り込んだ状態で、顔情報の比較結果を用いて、対象人物が登録人物であるか否かを判断する。対象人物の顔情報が、カード情報によって絞り込まれた登録人物の顔情報と一致したと判断した場合、認証部４３は、対象人物が登録人物であると判断する。これにより、対象人物が登録人物であっても、異なる登録人物と判断されることを防止することができる。つまり、登録人物のうちの誰かとして判断されるのではなく、ある登録人物として特定される。
【００６６】
一方、対象人物の顔情報が、カード情報によって絞り込まれた登録人物の顔情報と一致しなかった場合、認証部４３は、対象人物が登録人物ではないと判断する。また、カードリーダ４６がＩＣカードからのカード情報を読み取ることができなかった場合も、認証部４３は、対象人物が登録人物ではないと判断する。これにより、登録人物に似ている他人を間違って登録人物として判断されることを防止することができる。
【００６７】
上記より、実施形態の認証部４３は、顔認証に用いる設定レベルをそれほど高くしなくても、対象人物の認証を行うことができる。
【００６８】
次に、本実施形態の住宅設備監視制御システムにおいて、住人が帰宅したときの動作について説明する。玄関扉Ｄ（図２参照）の前に人が立つと、この人の顔を対象人物の顔として認証装置４の撮影カメラ４０が撮影する。このとき、認証装置４は、玄関扉Ｄの前にいる人に対してＩＣカードのカード情報を要求する。玄関扉Ｄの前にいる人が認証装置４のカードリーダ４６にＩＣカードをかざすと、カードリーダ４６は、ＩＣカードに記憶されているカード情報を読み取る。その後、認証部４３が、カードリーダ４６で読み取られたカード情報が登録情報であるか否かを判断する。認証部４３は、カード情報が登録情報であると判断すると、カード情報によって判断された登録人物に絞り込んだ状態で、顔情報の比較結果を用いて、対象人物が登録人物であるか否かを判断する。対象人物が登録人物であると認証部４３で判断された場合、送信部４４が認証ＯＫ信号を宅内サーバ１に送信する。宅内サーバ１は、玄関扉Ｄが閉まっていることを開戸センサ７０により確認してから、電気錠３に対して玄関扉Ｄを解錠させる。これにより、対象人物は玄関扉Ｄを開けて屋内Ｈ１に入ることができる。
【００６９】
以上、本実施形態によれば、認証装置４の認証部４３が顔情報で判断する機能とカード情報で判断する機能とを有することによって、カード情報によって判断された登録人物に絞り込んだ状態で顔情報の判断を行うことができるので、顔情報に用いる設定レベルをそれほど高くしなくても、対象人物が登録人物であるか否かの判断を行うことができる。
【００７０】
なお、実施形態２の変形例として、以下に説明するものがある。本変形例では、玄関扉Ｄ（図２参照）の前に人が立つと、この人の顔を対象人物の顔として認証装置４の撮影カメラ４０が撮影する。一方、玄関扉Ｄの前にいる人が認証装置４のカードリーダ４６にＩＣカードをかざし、カードリーダ４６が、ＩＣカードに記憶されているカード情報を読み取る。その後、認証部４３は、対象人物の顔情報が登録人物の顔情報と一致するか否かを判断するとともに、カードリーダ４６で読み取られたカード情報が登録情報であるか否かを判断する。このとき、認証部４３は、対象人物の顔情報が何れかの登録人物の顔情報と一致したと判断し、かつ、カード情報が登録情報であると判断した場合に、対象人物が登録人物であると判断する。その後、送信部４４は認証ＯＫ信号を宅内サーバ１に送信する。宅内サーバ１は、玄関扉Ｄが閉まっていることを開戸センサ７０により確認してから、電気錠３に対して玄関扉Ｄを解錠させる。これにより、対象人物は玄関扉Ｄを開けて屋内Ｈ１に入ることができる。
【００７１】
以上、本変形例によれば、認証装置４の認証部４３が対象人物の顔情報が何れかの登録人物の顔情報と一致したと判断し、かつ、カード情報が登録情報であると判断した場合に、対象人物が登録人物であると判断することができるので、対象人物の認証の精度をより高めることができる。
【図面の簡単な説明】
【００７２】
【図１】実施形態１，２に係る住宅設備監視制御システムの構成図である。
【図２】同上における屋外側から見た玄関扉付近の正面図である。
【図３】同上における各住宅設備機器の配置図である。
【図４】同上における玄関扉周辺を示す斜視図である。
【符号の説明】
【００７３】
１  宅内サーバ
３  電気錠
４  認証装置
４０  撮影カメラ（撮影手段）
４２  記憶部（顔情報記憶手段、識別情報記憶手段）
４３  認証部（認証手段）
４４  送信部
４６  カードリーダ（読み取り手段）
７４  直流電力供給装置
７４０  二次電池（補助電源）
８  コントロールパネル
８０  操作ボタン（入力手段）
Ｄ  玄関扉
【図１】
2009259010.tif 000003
【図２】
2009259010.tif 000004
【図３】
2009259010.tif 000005
【図４】
2009259010.tif 000006